(57)【特許請求の範囲】
【請求項１】
投入されるシート状媒体を細断して生じた細断媒体片を回収するためのシュレッダの細断媒体片回収機構であって、
回転軸を略水平に配し前記回転軸周りのスクリュー溝を表面に有してその上に落下してくる前記細断媒体片を前記回転軸方向の一端部に寄せ集めるスクリューと、
前記回転軸を含む一面内において回転自在となるように軸支されその外周面に突起を与えられた円盤状の圧縮ローラと、及び、
前記一端部から落下してくる前記細断媒体片を回収する回収室部と、を含み、
前記圧縮ローラは、回転すると前記突起の先端を前記スクリュー溝内に位置し得るようにして前記一端部近傍に取り付けられていることを特徴とするシュレッダの細断媒体片回収機構。
【請求項２】
前記圧縮スクリューと前記圧縮ローラとの間の箇所又はその近辺に液体を与える注液機構を含むことを特徴とする請求項１記載のシュレッダの細断媒体片回収機構。
【請求項３】
前記細断媒体片を前記一端部近傍を除いた前記スクリューの上に落下させる壁部を含むことを特徴とする請求項１又は２に記載のシュレッダの細断媒体片回収機構。
【発明の詳細な説明】
【技術分野】
【０００１】
本発明は、広くスキャナ付シュレッダに関し、特に、印刷用紙その他のシート状媒体による不用文書をその記載内容を読み取った後に細かく切り刻み廃棄処分又はリサイクル処理に引き渡すことを容易にするスキャナ付シュレッダに関する。
【背景技術】
【０００２】
かかるシュレッダとしては、特許文献１及び２に記載のものがある。
【０００３】
特許文献１には、誤って重要書類を投入してしまった場合でも、案内通路を通過する書類のイメージ情報をイメージスキャナにより読み取り、そのデータを記憶装置に記憶し、必要なときに確認したり再生することを可能にしたシュレッダが開示されている。
【０００４】
特許文献２には、画像読み取り部により、分離搬送された用紙の表裏面双方の画像を同時に読み取り、読み取った画像を光磁気ディスクに蓄積記憶し、また、用紙の読み取りを終了すると、裁断ローラにより用紙を細長い短冊状に裁断処理して、廃紙収納箱内に落とし込んで収納し、あるいは、裁断不要な用紙の場合には、裁断ローラの間隔を一定距離以上開くことで、用紙を素通りさせて、廃紙ガイド板を所定の位置まで回転移動させ、裁断処理をせずに未裁断用紙収納箱に落とし込み収納する裁断装置が開示されている。
【０００５】
これら既知のシュレッダは、オフィスにおいて多数のユーザが共用するタイプのものであり、安定して大量の不用書類を処理するのに適した構成を有している。そのため、その外形は大きく、細断した書類の細片を大量に溜め込む大型のダストボックスや、不用文書を次々に投入するのに適合した比較的に面積の大きなガイド又はトレー部を有している。
【０００６】
一方、今日、オフィス内での作業効率を向上させるためなどの理由により、ユーザが自分の席を離れなくともその都度不用書類をシュレッダにかけることのできるオフィス環境が求められるようになってきた。このようなニーズに対しては、ユーザがそれぞれのシュレッダを自分の作業場の近くに備えておくことがよいが、上述したようなシュレッダは、外形が大きく、またその占有空間も大きくとるため、オフィス空間を過度に犠牲にしてしまうという別の問題が生じてしまう。
【０００７】
したがって、外形が小さく省スペースで済む個人用のコンパクトなシュレッダの実現が望まれる。
【先行技術文献】
【特許文献】
【０００８】
【特許文献１】特開平１０−２４９２２８号公報
【特許文献２】特開２０００−１４０６６４号公報
【発明の開示】
【発明が解決しようとする課題】
【０００９】
本発明は、上述した問題に鑑みてなされたものであり、その目的とするところは、小さな外形で省スペースで済む個人用に好適なシュレッダを提供することである。
【課題を解決するための手段】
【００１０】
参考例によるシュレッダは、投入されるシート状媒体を搬送する搬送機構と、これにより搬送される媒体の少なくとも片側面に対向して配される読取装置と、前記読取装置の後段に配される細断機構とを備え、前記読取装置により前記媒体に記載されている可視内容をスキャンし、このスキャン動作に引き続き連動して前記細断機構により前記媒体を順次細断するスキャナ付シュレッダであって、投入された媒体を保持しつつ収容する媒体収容室部をさらに有し、この収容室部の媒体送り主面、前記読取装置の媒体読取位置、前記搬送機構の媒体搬送位置及び前記細断機構の媒体細断位置は、垂直方向に延びる同一仮想平面内において直線状に配されることを特徴とする。
【００１１】
かかる態様によれば、媒体送り主面、媒体読取位置、媒体搬送位置及び媒体細断位置が概して垂直方向に直線状に配されるので、小さな外形で省スペースで済む個人用に好適なシュレッダを構成することができる。
【図面の簡単な説明】
【００１２】
【図１】参考例によるスキャナ付シュレッダの斜視図である。
【図２】参考例によるスキャナ付シュレッダの断面図である。
【図３】参考例によるスキャナ付シュレッダの断面図である。
【図４】参考例によるスキャナ付シュレッダの線ＩＶ−ＩＶによる断面図である。
【図５】本発明によるスキャナ付シュレッダの断面図である。
【図６】本発明によるスキャナ付シュレッダの断面図である。
【図７】本発明によるスキャナ付シュレッダの線ＶＩＩ−ＶＩＩによる断面図である。
【発明を実施するための形態】
【００１３】
参考例のシュレッダは、投入されるシート状媒体を搬送する搬送機構と、これにより搬送される媒体の少なくとも片側面に対向して配される読取装置と、前記読取装置の後段に配される細断機構とを備え、前記読取装置により前記媒体に記載されている可視内容をスキャンし、このスキャン動作に引き続き連動して前記細断機構により前記媒体を順次細断するスキャナ付シュレッダであって、投入された媒体を保持しつつ収容する媒体収容室部をさらに有し、この収容室部の媒体送り主面、前記読取装置の媒体読取位置、前記搬送機構の媒体搬送位置及び前記細断機構の媒体細断位置は、垂直方向に延びる同一仮想平面内において直線状に配されることを特徴とする。これにより、それぞれの構成部が効率的に配置され、シュレッダ全体の構成、特にその外形の厚さの小さい、例えばデスク脇にスマートに設置可能な直立型シュレッダに極めて適したものとすることができる。
【００１４】
上記態様において、前記細断機構の後段に配され前記細断機構により細断された媒体の細片を回収する回収室部をさらに有し、この回収室部の媒体回収入口は、前記仮想平面内において前記媒体細断位置と直線状に配されるようにしてもよい。これにより、主要な構成部の全てが概して垂直方向に直線状に配されるので、さらに構成のスリム化に寄与することになる。
【００１５】
これに加え、前記細断機構と前記回収室部の間に配され前記細片に液体を滴下させる注液機構と前記細片を圧縮する圧縮スクリューとをさらに備え、前記圧縮スクリューは前記仮想平面内に配されることとしてもよい。かかる態様によれば、細断された媒体の細片を減容できて回収室部で細片を効率よく回収できて、さらに構成のスリム化に寄与できる。
【００１６】
またこれに加え、或いはこれに代わり、前記読取装置は、前記媒体の両面をそれぞれ読み取るための読取装置により構成され、前記読取装置の少なくとも一方は、走査ライン毎に線順次にて前記媒体の可視内容を捕捉するラインセンサに基づいて構成されるものとしてもよい。かかる態様において、前記読取装置の他方は、少なくとも前記走査ラインの１本を超える幅を有する撮像領域における前記媒体の可視内容を一度に捕捉するデジタルカメラ素子に基づいて構成されるものとすることができる。読取装置の両方をラインセンサ構成にした場合は、シュレッダ全体の構成がコンパクトになるという利点がある。両面読取装置を一方のラインセンサと他方のデジタルカメラ素子とで構成した場合は、デジタルカメラ素子による適切な撮像に必要な構成空間が大きくなるのでシュレッダの小型化には不利であるが、デジタルカメラ素子は、ラインセンサに比し可視内容の読取範囲をかなり広くとることができ、読取速度を早くすることができるという利点がある。
【００１７】
ここで、前記デジタルカメラ素子は、前記搬送方向において前記ラインセンサよりも前の位置に配置されるようにすることが好ましい。これにより、比較的に大きな構成空間を必要とするデジタルカメラ素子のために、比較的に大きくならざるを得ない媒体の投入空間を活用することができ、シュレッダ全体の小型化に寄与することになる。例えば、前記デジタルカメラ素子は、前記収容室部に収容された媒体に前記撮像領域を形成するよう配されることができる。収納部は、特に直立型シュレッダにおいて紙などの媒体を立たせたまま（又は投入口から媒体が落ちない状態で）保持するために垂直方向において相当に広い領域を必要とするので、デジタルカメラ素子との組み合わせに好都合である。
【００１８】
かかる態様においてはまた、前記読取装置の出力の処理及び／又は暗号化を行う画像処理部と、前記画像処理部により得られる画像データを記憶するメモリと、をさらに有するものとすることができる。これにより、読み取られた可視内容のデータを一括して処理又は制御する可能性が提供され、かかるシュレッダを利用した機密管理が容易になる。
【００１９】
以下、参考例の上記態様及び実施の形態を図１乃至図４を参照して詳しく説明し、本発明の態様及び実施の形態を、実施例に基づき図５乃至図７を参照して詳しく説明する。
【００２０】
［参考例１］
図１は、参考例によるスキャナ付シュレッダの構成及び使用形態を示しており、このシュレッダ１は、例えばオフィスに設置される机２の袖部２０の側面２０ａに取り付けられる。シュレッダ１は、図示するような直立型であり、ユーザが机２での作業をしながら不用な書類を細断することを容易にするとともに、オフィス空間をなるべく犠牲にしないコンセプトでデザインされた薄型のパーソナルシュレッダとしての形態が採用されている。
【００２１】
シュレッダ１は、シート状の不用書類を投入するための投入口１０を具備し、ユーザは、この投入口に不用書類を１枚又は複数枚差し入れることができる。シュレッダ１はまた、その本体下部において引き出し型のダストボックス１１を備えており、シュレッダ１において投入後自動的に細断された媒体の細片をダストボックス１１に貯めておくことを可能としている。ユーザは、ダストボックス１１に貯まった媒体片を適宜ダストボックス１１を引き出して回収し、当該媒体片の廃棄処分又はリサイクル処理へと引き渡すことができる。
【００２２】
図２乃至図４は、シュレッダ１のさらに詳しい構成を示すものであり、図２は図１の矢印Ｘの方向でシュレッダ１を見たときの概略断面図、図３は図１の矢印Ｙの方向でシュレッダ１を見たときの概略断面図、図４は図１の矢印Ｚの方向でシュレッダ１を見たときの概略断面図である。なお、断面図とはいえ、これらは一部につき断面を表すものであって、シュレッダ１の構成の理解をし易くするために、適宜、説明に不要な構成部を省略したり、必要な各構成部を部分的に側面図として表していることに留意されたい。
【００２３】
図２に示すように、シュレッダ１は、投入口１０から投入された１枚又は複数枚のシート状媒体（図示せず）を保持し収容する媒体収容室部３０を備えており、収容室部３０は、投入媒体の表及び裏それぞれに対応することになる、対向する一対の内壁板３１，３２によって、主にその収容空間を画定している。内壁板３１，３２は、本例では透明板とされ、これらの外側面上、本例では収容室部３０の概ね中央に、一対の用紙センサ３３ａ，３３ｂがそれぞれ実装される。用紙センサ３３ａ，３３ｂは、赤外線センサシステムによるセンサであり、それぞれ発光部と受光部を担うものとしている。この用紙センサにより、収容室部３０に媒体が投入されたか否か、又は存在しているか否かが検知される。
【００２４】
収容室部３０の一方の内壁板３１は、媒体送り主面を形成するその内側面で、収納室部３０内で図２で最も左側に位置した媒体の表又は裏に接し、この内壁板３１に接する１枚の媒体が選択的に下方へ送り出されるようにしている。そのため、収容室部３０の構造に連関して構成された搬送機構４０が設けられており、この搬送機構４０は、他方の内壁板３２の所定箇所を支点にして投入媒体を一方の内壁板３１へと押し付ける押し付けバネ４１と、内壁板３１の下方端部側においてその延長線上に接触面を現す形態で配され、内壁板３１に接する媒体を当該接触面と当該媒体との摩擦力により下方に送り出す送りローラ４２とを有している。
【００２５】
搬送機構４０により搬送される媒体は、送り通路を通じて送りローラ４２のさらに下方にある一対のロールカッタ５ａ，５ｂに達する。ロールカッタ５ａ，５ｂは、細断機構５０を担うものであり、それぞれ、ドラム状の外観を呈し、周知の細断刃を備え、回転軸を中心に互いに反対方向に回転することにより上方からロールカッタ５ａ，５ｂの間に到来する媒体を細断する。細断された媒体は、ロールカッタ５ａ，５ｂの下方側に排出される。本例では、ロールカッタ５ａ，５ｂの下方にさらに一対の排出ローラ５ｃ，５ｄが設けられ、ロールカッタ５ａ，５ｂからの細断媒体を滑らかにさらに下方へと案内するようにしている。排出ローラ５ｃ，５ｄは、それぞれ、ドラム状の外観を呈し、突出歯部を備え、ロールカッタ５ａ，５ｂの回転に連動して、回転軸を中心に互いに反対方向に回転することにより上方からの媒体を下方へと移送する。
【００２６】
排出ローラ５ｃ，５ｄの下段には、さらに圧縮機構６０が設けられる。圧縮機構６０は、排出ローラ５ｃ，５ｄからの細断媒体片を比較的小さな空間に集めるための傾斜した壁部６１を有し、さらにその底部には、圧縮スクリュー６２が設けられる。圧縮スクリュー６２は、本例では水平に配置され、回転することによりその回転軸方向における一方の端部側（図３における右側）に媒体片を寄せ集め図示せぬ他の部材とともに圧縮させる機能を有する。こうした圧縮スクリュー６２に基づく媒体片の圧縮動作については、例えば特開２００２−２８５１６号公報などに詳細が記述されこれらを参考にすることができるので、ここでは詳述しない。
【００２７】
図３に示すように、圧縮スクリュー６２の図の右側において圧縮された媒体片は、概ね塊となり、所定の大きさ又は重さになった時点で排出ローラ６３に引き渡される。排出ローラ６３は、その回転軸が板バネ６３Ｓにより回転自在に保持されており、引き渡された媒体片の塊を、回転することにより圧縮スクリュー６２の下方に落とし込む。
【００２８】
図３には、ロールカッタ５ａ，５ｂ及び排出ローラ５ｃ，５ｄ並びに圧縮スクリュー６２の駆動源を担うモータ５００も示されている。モータ５００は、ギヤシステム５１０に駆動力を伝達し、ギヤシステム５１０は、後述する制御部による制御に応じた態様でその駆動力をロールカッタ５ａ，５ｂ及び排出ローラ５ｃ，５ｄ並びに圧縮スクリュー６２に伝達する。
【００２９】
圧縮スクリュー６２の下方には、既述のダストボックス１１が配される。したがって、排出ローラ６３からの圧縮された媒体片の塊は、ダストボックス１１に貯留されることになる。
【００３０】
再び図２を参照して、収容室部３０の内壁板３１の外側面上には、第１のラインセンサ７ａが設けられ、収容室部３０の内壁板３１の内側面の延長線上には、第２のラインセンサ７ｂが設けられる。第１のラインセンサ７ａは、透明な内壁板３１を通じて当該内壁板に接する媒体の当該接触面の可視内容を光学的に読み取る読取装置であり、走査ライン毎に線順次にて当該可視内容をスキャンする。第２のラインセンサ７ｂは、送りローラ４２から搬送されてくる媒体の他方の面（内壁板３１に接触していない面）の可視内容を光学的に読み取る読取装置であり、これも走査ライン毎に線順次にて当該可視内容をスキャンする。第１及び第２のラインセンサ７ａ，７ｂは、いわゆるラインスキャナとしても知られる形態のものが採用され、共に同じタイプのものとすることができる。これらラインセンサは、スキャン対象の媒体に光を照射する発光部と、これによる当該媒体からの反射光を受光する受光部とを有している。
【００３１】
これらラインセンサは、電源回路により電源が供給されるとともに、それらの出力は他の電子回路に供給される。本例では、これら電源回路及び電子回路は、投入口１０の側方、本例では設置対象の机２（図１参照）の側のシュレッダ壁部に実装された電子ユニット８に搭載される。当該電子回路には、ラインセンサ７ａ，７ｂの出力を処理し好ましくは暗号化し、さらに好ましくは圧縮処理する画像処理部と、この画像処理部の出力画像データを記憶するメモリとが含まれる。電子回路はさらに、シュレッダ１全体のシステム制御を司る制御部を有する。この制御部は、用紙センサ３３ａ，３３ｂの出力、ラインセンサ７ａ，７ｂの出力などに基づいて、送りローラ４２や、ロールカッタ５ａ，５ｂ及び排出ローラ５ｃ，５ｄ、圧縮スクリュー６２などの駆動制御、シュレッダ１の頂部パネルに設けられたインジケータ８ｉの表示制御などを行う。
【００３２】
図４は、図２において線ＩＶ−ＩＶによりシュレッダ１を破断して得られる概略断面図を示している。この図によれば、ロールカッタ５ａと５ｂとの細断刃が互いに噛み合う形態が分かる。また、ロールカッタ５ａ及び５ｂは互いに細断刃を押し付け合いながら自己研磨をする自己研磨型のロールカッタとして、媒体を細断する能力を維持するようにすることもできる。
【００３３】
特に図２から分かるように、投入された媒体は、一旦収容室部３０に保持され、送りローラ４２により移送されながらラインセンサ７ａ，７ｂによりその両面の可視内容がスキャンされる。そして、そのスキャンを終えた媒体部分が、順次ロールカッタ５ａ，５ｂにより細断されていく。これにより、媒体の細断前にスキャンを行い、そのスキャンにより得られた電子データが電子ユニット８内のメモリに記憶する。したがって、細断後にユーザが投入した媒体が細断すべきでない文書であったことに気づいたような場合でも、メモリに記憶した電子データに基づいて細断した媒体の可視内容を回復させることができる。
【００３４】
本参考例においては、第１及び第２のラインセンサ７ａ，７ｂが投入媒体の搬送方向において所定の距離Ｄ１を隔てて配置されるので、互いに漏れた光を受光することが回避されラインセンサ７ａ，７ｂのスキャン動作の干渉を防ぐ。この所定距離Ｄ１は、かかる干渉の防止の観点からは長いほど良いが、ラインセンサ７ａ，７ｂがそれらのスキャン動作において干渉作用を生じないことを保障する距離（不干渉保障距離）であれば足りる。また、本参考例は、第１のラインセンサ７ａと第２のラインセンサ７ｂとの間に送りローラ４２を配する構成を採っている。これにより、送りローラ４２がラインセンサ間の光の伝播を遮る実質的光学遮蔽体を担う格好となり、漏れ光の受光防止を確実にすることができ、また、このようにラインセンサ間に光学遮蔽体を置かなかった場合に比べ、当該不干渉保障距離を短くすることができるという利点もある。なお、このような光学遮蔽体は、送りローラ４２に限らず、他の構成部材でもよいし、また追加で設けられる専用の光学遮蔽部品でもよい。本例では、通常いわゆる艶消しの表面を呈し好ましくは黒色のゴム製とされた送りローラ４２を光学遮蔽体として利用しているので、好都合となっている。
【００３５】
ラインセンサ７ａ，７ｂの出力を受信するユニット８の電子回路では、画像処理部がラインセンサの出力信号を処理する。この処理には、信号のデジタル化、これにより得られるデータの暗号化や圧縮処理なども含ませることができる。この処理によって得られたデータは、メモリに記憶され、後の段階で必要に応じてメモリから読み出される。
【００３６】
好ましくは、ユニット８は、このメモリにアクセス可能なＵＳＢポートなどのインターフェースを有し、このインターフェース及びケーブル８ｃ（図３参照）を介してメモリに対して例えばメインコンピュータ（図示せず）より外部制御可能なものとするのが良い。このような構成とすることにより、媒体の可視内容をシュレッダ１の電子ユニット８内のメモリに記憶した後に、システム管理者が、当該メインコンピュータを用い、多数のユーザのシュレッダ使用状況等を統括して把握し、必要に応じてそのメモリから画像データを読み出したり、削除したりすることができる。
【００３７】
シュレッダ１を利用した１つの機密書類管理形態として、次のようなものを例示する。
（１）会議等において、資料配布者がユーザ各個人に紙媒体の資料を配り、この資料が機密文書であるので会議終了後は所定時間内に（又は所定の時刻までに）各自のシュレッダで細断破棄されたい旨を伝える。
（２）その後各ユーザは、各自の机の脇に設置されたスキャナ付シュレッダ１に当該資料を投入する。
（３）シュレッダ１は、この投入された資料を自動的にスキャンし、スキャンした上で細断する。このときスキャンにより得られた画像情報は、暗号化され、暗号化された画像データが当該メモリに記憶される。この記憶される画像データには、例えば記憶動作の開始時刻を表すタイムスタンプデータが付される。
（４）資料配布者は、監視用メインコンピュータにより画像データ読出指令を各シュレッダ１に送信し、シュレッダ１は、この指令に応答してメモリに記憶された画像データをメインコンピュータに転送する。
（５）資料配布者は、メインコンピュータに転送されてきた各ユーザからの画像データを確認し、そのタイムスタンプに基づいて、当該所定時間内に（又は所定の時刻までに）当該資料がシュレッダにかけられたかどうかを判断する。
（６）資料配布者は、画像データの確認を完了すると、監視用メインコンピュータにより画像データ消去指令をシュレッダ１に送信し、シュレッダ１は、この指令に応答してメモリに記憶された画像データを消去する。
【００３８】
［実施例２］
図５乃至図７は、本発明の１つの実施例によるシュレッダの構成を詳しく示すものであり、それぞれ図２乃至図４と同様に描かれた断面図である。なお、図５乃至図７において図２乃至図４と同等又は等価な部分には同じ参照符号を付している。図７は、図５において線ＶＩＩ−ＶＩＩによりシュレッダ１００を破断して得られる概略断面図を示している。
【００３９】
図５に示されるシュレッダ１００は、図２に示されるシュレッダ１とは異なり、第１のラインセンサ７ａの代わりにデジタルカメラ素子７０ａを用いている。デジタルカメラ素子７０ａは、媒体収容室部３０の透明板３１の外側主面に対向してシュレッダ１００の内部シャーシに実装される。より詳しくは、デジタルカメラ素子７０ａは、透明板３１の当該主面に所定の撮像領域を形成するよう撮影範囲７０ｒが設定又は仕様決めされており、かかる撮像領域は、ラインセンサ７ａ，７ｂの走査ラインの１本を超える幅であって、実際には当該走査ラインの幅よりも遥かに大きな幅を有し、好ましくはＡ４サイズの用紙の縦の長さの概して３分の１程度の幅を有し、当該撮像領域における媒体の可視内容を透明板３１を透して一度に捕捉する。デジタルカメラ素子７０ａも電子ユニット８に接続されており、電子ユニット８により必要な電源供給及び出力信号の処理が行われる。なお、デジタルカメラ素子７０ａは、例えばＣＣＤによる撮像素子のみならずレンズなどの種々の光学要素を内蔵するが、かかるカメラ素子自体は周知であるのでここでは詳述しない。
【００４０】
本実施例によるシュレッダ１００は、直立型であり、投入される媒体を一時的に収容保持するための比較的上下方向に大きな面積を有する収容室部３０を備えており、この収容室部３０の位置に対応させてデジタルカメラ素子７０ａを配することが全体の構成上非常に都合の良いものとなっている。すなわち、このように比較的に大きな収容室部３０に対応づけてデジタルカメラ素子を配することにより、一定の焦点距離を必要とされ一般的には全体のシステムを大型化する傾向にあるデジタルカメラ素子を巧く配置してシュレッダ１００の構成が大型化するのを極力抑えることに成功しているのである。
【００４１】
なお、デジタルカメラ素子７０ａの撮像領域を十分にとるために、用紙センサ３３ａ，３３ｂをシュレッダ１００の上部側に移動している。また、ラインセンサ７ａ，７ｂとは異なり撮像範囲が広いので、媒体の歪みを防止するため、収容室部３０において上部側に媒体を透明板３１に押し付けるためのもう１つの押し付けバネ４３を設けている。他の構成は、上記参考例１と同様である。但し、本実施例のシュレッダ１００は、デジタルカメラ素子７０ａの適切な撮像に必要な空間が伴うので、図５及び図７に示したシュレッダ１００は、図２及び図４に示したシュレッダ１に比べて厚い外形を呈することになる。しかしながら、読取装置の片方のみをデジタルカメラ素子としているので現時点でも実用に耐えうる十分にスリムなシュレッダ外形が得られるとともに、デジタルカメラ素子の開発が今後盛んに行われると予想され、デスクサイド設置型のシュレッダにデジタルカメラ素子を採用することは益々有用となる。
【００４２】
特に、デジタルカメラ素子に特有の、広い撮像領域の可視内容を一度に捕捉する機能により媒体を速くスキャンすることができるので、迅速なシュレッダ処理動作を実現する上で非常に有利なものとなる。
【００４３】
本実施例においても、一方の読取装置であるデジタルカメラ素子７０ａと他方の読取装置であるラインセンサ７ｂとが、投入媒体の搬送方向において所定の距離Ｄ２を隔てて配置されるので、互いに漏れた光を受光することが回避される。また、ここでも、デジタルカメラ素子７０ａとラインセンサ７ｂとの間に送りローラ４２を配する構成によって、送りローラ４２がラインセンサ間の光の伝播を遮る実質的光学遮蔽体を担っている。
【００４４】
［実施例３］
図６には、Ｙ方向（図１参照）から見たシュレッダ１００の概略断面図が示されている。
【００４５】
ここでは、図３に示される構成とは異なり、ダストボックス１１の上段に配される圧縮機構６０が、媒体片の圧縮をさらに推し進める手段を具備している。この手段は、圧縮スクリュー６２の上方に配され当該スクリューによりその右側に集められた媒体片を圧縮スクリュー６２とともに挟み込んで媒体片に圧力を掛ける圧縮ローラ６４と、概して圧縮スクリュー６２と圧縮ローラ６４との間の箇所又はその近辺に、水などの液体、好ましくは凝固剤その他の適切な処理剤を含む水溶液を滴下させる注液機構６Ｄとを有する。
【００４６】
この圧縮ローラ６４及び注液機構６Ｄによって、圧縮スクリュー６２と圧縮ローラ６４との間で媒体片が固められてその体積をより小さく減容することができる。注液機構６Ｄは、本例では、シュレッダ１００の内部の上段に設置され当該水溶液を貯めた溶液タンク６５と、溶液タンク６５の底部に接続されて溶液を送るパイプ６６とを含み、パイプ６６の先端の溶液出口が、圧縮スクリュー６２と圧縮ローラ６４との間の箇所又はその近辺に差し向けられる。パイプ６６の途中には、図示せぬ電磁バルブが介挿されており、既述の制御部により必要に応じて当該水溶液の滴下が行われる。溶液タンク６５は、水溶液を補充する注入口をシュレッダ１００の上面に備え、この注入口を塞ぐ蓋６５ａが設けられる。
【００４７】
このような圧縮機構により、媒体片はより一層圧縮が進みその体積が小さくなり、ダストボックス１１に効率よく回収できる。故に、ダストボックス１１をコンパクトにしても一度に媒体を処理できる量は変わらないか、若しくは、増加するのである。また、密度の高い媒体片の塊とすることができるので、媒体片をそれほど細かくしなくとも媒体の機密を守ることができ、リサイクルに適したものとすることができる。さらに、媒体の細断は粗くてよいので、安価なロールカッタで済むというメリットもある。
【００４８】
上記参考例及び各実施例によれば、シュレッダ１、１００は、ユーザが不用媒体を投入した後はその媒体が収容室部において保持される、すなわちユーザが不要書類から手を離してもその不用媒体が自然に（撓み）倒れ込んで落ちるなどすることのないように媒体を維持することができる収容室部３０としている。かかる媒体維持のため、収容室部３０は、所定サイズ（例えばＡ４サイズ）の媒体の少なくとも大略３分の１、好ましくは半分を収める空間を形成している。
【００４９】
また、シュレッダ１，１００は、直立型又は縦型とされ、この収容室部３０を最上段に置き、次いで読取装置（７ａ（７０ａ），７ｂ）、搬送機構４０、細断機構５０、圧縮機構６０、回収室部（ダストボックス１１）が順次垂直方向に概して一列に並ぶ構成を有する。より詳しくは、収容室部３０の媒体送り主面（透明板３１の透明版３２との対向面）、読取装置（７ａ（７０ａ），７ｂ）の媒体読取位置、搬送機構４０の媒体搬送位置及び細断機構５０の媒体細断位置、並びに回収室部（ダストボックス１１）の媒体回収入口は、垂直方向に延びる同一仮想平面内において直線状に配される。この仮想平面は、図２及び図５に示される線Ｐ−Ｐを含みかつＹ方向（図１参照）に直交する平面として規定することができる。さらに、圧縮機構６０の圧縮スクリュー６２はこの仮想平面内に位置する。
【００５０】
このような構成により、デスクサイドで良好に使用可能な、極めて薄い外形の直立型シュレッダを実現することが可能となる。
【００５１】
なお、上記各実施例においては、収容室部３０の内壁板３２を透明なものとしたが、必ずしもこれに限定されず、例えば用紙センサ３３ａ，３３ｂの形態を改変するなどすれば、透明でなくともよい。また、読取装置は、媒体の表裏にそれぞれ対向した２つに限らず、媒体の表側及び／又は裏側に２つ以上の読取装置を配する構成としても良い。この場合でも、どの読取装置の間も上述した不干渉保障距離を保つようにしたり、上述したような光学遮蔽部材を配するようにすることにより、特有の効果を得ることができる。
【００５２】
以上、本発明による代表的実施例及びこれに基づく変形例を説明したが、本発明は必ずしもこれらに限定されるものではなく、当業者であれば、本発明の主旨又は添付した請求項の範囲を逸脱することなく種々の代替実施例及び改変例を見出すことができる。
【符号の説明】
【００５３】
１          シュレッダ
１０        投入口
１１        ダストボックス
３０        収容室部
３１，３２  内壁板（透明板）
４０        搬送機構
４１        押し付けバネ
４２        送りローラ
５０        細断機構
５ａ，５ｂ  ロールカッタ
５ｃ，５ｄ  排出ローラ
６０        圧縮機構
６２        圧縮スクリュー
６３        排出ローラ
７ａ，７ｂ  ラインセンサ
８          電子ユニット
１００      シュレッダ
７０ａ      デジタルカメラ素子
６４        圧縮ローラ
６Ｄ        注液機構
６５        溶液タンク
６６        パイプ
【図１】
0004920055.tif 000002
【図２】
0004920055.tif 000003
【図３】
0004920055.tif 000004
【図４】
0004920055.tif 000005
【図５】
0004920055.tif 000006
【図６】
0004920055.tif 000007
【図７】
0004920055.tif 000008